(57)【特許請求の範囲】
【請求項１】
柱と梁を接合して構成される建物ユニットの上下梁間に取付けられるとともに、外壁が固定される間柱の固定構造において、
間柱に固定金具が溶接され、この固定金具が取付具により柱の内側面に取付けられるものであり、
固定金具がＬ字状のアングル材からなり、固定金具におけるＬ字の一片の平面と間柱の平面とが密着して溶接され、
固定金具がＬ字の他片の外縁を折曲げた引き寄せ片を備えてなることを特徴とする間柱の固定構造。
【請求項２】
前記固定金具は、引き寄せ片に係合する引き寄せ工具により柱に対する該固定金具の取付位置を調整可能にされる請求項１に記載の間柱の固定構造。
【請求項３】
前記固定金具におけるＬ字の他片が取付具により柱の内側面に取付けられてなる請求項１又は２に記載の間柱の固定構造。
【請求項４】
前記間柱がアングル材からなる請求項１〜３のいずれかに記載の間柱の固定構造。
【請求項５】
請求項１〜４のいずれかに記載の間柱の固定構造を構成するための固定金具であって、Ｌ字状のアングル材からなり、Ｌ字の一片が間柱に溶接される溶接片とされ、Ｌ字の他片が柱の内側面に取付けられる取付片とされ、取付片の外縁を折曲げて引き寄せ片とした固定金具が溶接されてなる間柱。
【請求項６】
請求項１〜４のいずれかに記載の間柱の固定構造が適用された建物ユニットを用いて構築されてなるユニット建物。
【発明の詳細な説明】
【技術分野】
【０００１】
本発明は間柱の固定構造に関する。
【背景技術】
【０００２】
従来、例えば特許文献１に記載の如く、柱と梁を接合して構成される建物ユニットの上下梁間に間柱を取付け、この間柱に外壁を固定してなるものがある。
【０００３】
特許文献１に記載の間柱の固定構造では、固定金具の１つの中間片の両側に突出片を設け、固定金具の一方の突出片が間柱にボルト止めされ、固定金具の中間片と他方の突出片が柱の相交差する２つの側面に添設されている。
【先行技術文献】
【特許文献】
【０００４】
【特許文献１】特開平11-107376
【発明の概要】
【発明が解決しようとする課題】
【０００５】
特許文献１に記載の間柱の固定構造では、柱の相交差する２つの側面に添設されている固定金具の他方の突出片は柱の１つの側面の局部域だけに単に引掛け状態で添設しているに過ぎない。従って、固定金具の中間片と他方の突出片を柱の２つの側面に添設したとき、他方の突出片の先端が柱の側面から浮き上がり、当該柱の側面に対し隙間なく添設しないおそれがある。このため、間柱に荷重が加わったときに、固定金具が間柱を安定的に支持できず、間柱のねじれ変形による外壁取付面の面精度の悪化、ひいては外壁の変形を生ずるおそれがある。
【０００６】
尚、間柱の固定構造の他の従来技術として、柱に固定金具を溶接し、この固定金具に間柱をリベット止めするものがある。しかしながら、柱の上下端に上梁と下梁を溶接して構築される建物ユニットでは、固定金具を柱の上下端寄りに溶接することに困難がある。即ち、建物ユニットの構築後にあっては、柱の上下端に既に溶接されている上梁と下梁の存在が、固定金具を柱の上下端寄りに溶接することの障害になる。また、建物ユニットの構築前の柱の上下端寄りに固定金具を溶接しておくときには、この柱に設けられた固定金具の存在が、該柱の上下端に上梁と下梁を溶接することの障害になる。従って、間柱が固定される固定金具を柱の上下端寄りに溶接できず、柱の中間部に溶接するものになるから、間柱に荷重が加わったときに、間柱のねじれ変形を十分に防止できない。
【０００７】
本発明の課題は、間柱の固定構造において、間柱に荷重が加わっても間柱をねじれ変形させず、間柱の外壁取付面の面精度を安定化し、ひいては外壁の変形を防止することにある。
【課題を解決するための手段】
【０００８】
請求項１に係る発明は、柱と梁を接合して構成される建物ユニットの上下梁間に取付けられるとともに、外壁が固定される間柱の固定構造において、間柱に固定金具が溶接され、この固定金具が取付具により柱の内側面に取付けられるものであり、固定金具がＬ字状のアングル材からなり、固定金具におけるＬ字の一片の平面と間柱の平面とが密着して溶接され、固定金具がＬ字の他片の外縁を折曲げた引き寄せ片を備えてなるようにしたものである。
【０００９】
請求項２に係る発明は、請求項１に係る発明において更に、前記固定金具は、引き寄せ片に係合する引き寄せ工具により柱に対する該固定金具の取付位置を調整可能にされるようにしたものである。
【００１０】
請求項３に係る発明は、請求項１又は２に係る発明において更に、前記固定金具におけるＬ字の他片が取付具により柱の内側面に取付けられてなるようにしたものである。
【００１１】
請求項４に係る発明は、請求項１〜３のいずれかに係る発明において更に、前記間柱がアングル材からなるようにしたものである。
【００１２】
請求項５に係る発明は、請求項１〜４のいずれかに記載の間柱の固定構造を構成するための固定金具であって、Ｌ字状のアングル材からなり、Ｌ字の一片が間柱に溶接される溶接片とされ、Ｌ字の他片が柱の内側面に取付けられる取付片とされ、取付片の外縁を折曲げて引き寄せ片とした固定金具が溶接されてなる間柱である。
【００１３】
請求項６に係る発明は、請求項１〜４のいずれかに記載の間柱の固定構造が適用された建物ユニットを用いて構築されてなるユニット建物である。
【発明の効果】
【００１４】
（請求項１）
(a)間柱に固定金具が溶接され、この固定金具が取付具により柱に取付けられる。
従って、間柱に溶接された固定金具を柱の側面に隙間なく、正しく位置決めして取付けできる。このため、柱に対して正しく位置決めされた固定金具により間柱を安定的に支持し、間柱に荷重が加わっても、間柱のねじれ変形を防止し、間柱の外壁取付面の面精度を安定化し、ひいては外壁の変形を防止できる。
【００１５】
(b)間柱に溶接された固定金具は、柱に取付具を用いて取付けられるものであるから、柱の上下端に接合される上梁と下梁の存在に関係なく、柱の上下端寄りに取付けできる。即ち、間柱が固定される固定金具を柱の上下端寄りに取付けでき、該固定金具を柱の中間部だけに取付けるものに比し、間柱に作用する荷重による該間柱のねじれ変形を十分に防止できる。
【００１６】
また、間柱に溶接される固定金具は、該固定金具の溶接片になる部分の平面と間柱の平面の平面同士を密着させて溶接でき、該固定金具の転びの懸念がなく、正確に溶接できる。
【００１７】
尚、従来技術では、本発明の固定金具と同様の機能を持たせる金具を柱側に溶接していたが、柱の角部には比較的大きな曲げＲがあり、その近傍で金具を取付ける事になる為、曲げＲの部分で金具が転んだりして正確な取付位置を出しにくい。
【００１８】
また、固定金具がＬ字の他片の外縁を折曲げた引き寄せ片を備える。固定金具に備えた引き寄せ片を用いることにより、簡易に柱に対する固定金具の取付位置を調整可能にされる。これにより、建物ユニットの上梁と下梁に取付けられている間柱に溶接済の固定金具を、柱に対する取付位置に容易に位置付けできる。
（請求項２）
(c)前記固定金具が、引き寄せ片に係合する引き寄せ工具により柱に対する固定金具の取付位置を調整可能にされる。これにより、建物ユニットの上梁と下梁に取付けられている間柱に溶接済の固定金具を、柱に対する取付位置に容易に位置付けできる。
【００１９】
（請求項３）
(d)前記固定金具におけるＬ字の他片が取付具により柱の内側面に正しく位置決めされて取付けられる。
【００２０】
（請求項４）
(e)前記間柱がアングル材からなるとき、上述(a)〜(d)の固定金具によりアングル材からなる間柱のねじれ変形を確実に防止し、ひいては外壁の変形を防止できる。
【００２１】
（請求項５）
(f)上述(a)〜(e)の固定金具を用いることにより、間柱に荷重が加わっても間柱をねじれ変形させず、間柱の外壁取付面の面精度を安定化し、ひいては外壁の変形を防止できる。
【００２２】
（請求項６）
(g)上述(a)〜(e)の建物ユニットを用いて構築されてなるユニット建物において、間柱に荷重が加わっても間柱をねじれ変形させず、間柱の外壁取付面の面精度を安定化し、ひいては外壁の変形を防止できる。
【図面の簡単な説明】
【００２３】
【図１】図１は柱と固定金具付間柱を示す断面図である。
【図２】図２は柱に固定金具を取付けた状態を示す断面図である。
【図３】図３は柱と間柱に外壁を取付けた状態を示す断面図である。
【図４】図４は柱と固定金具付間柱を示す斜視図である。
【図５】図５は引き寄せ片を備えた固定金具を示す断面図である。
【発明を実施するための形態】
【００２４】
本発明のユニット建物は、複数の建物ユニットを左右上下に隣接設置して構築されるものであり、建物ユニットは、例えば特開2001-40777に記載される如くに、柱と上梁と下梁を接合して構成された箱形骨組構造体である。
【００２５】
図３、図４は建物ユニット１０のコーナー部を示したものであり、柱１１の上端部にジョイントピース１２Ａ（不図示）を介して上梁１２（不図示）を接合し、柱１１の下端部にジョイントピース１３Ａを介して下梁１３を接合している。そして、上梁１２と下梁１３の間にコーナー間柱１４、標準間柱１５（不図示）を取付け、コーナー間柱１４、標準間柱１５にコーナー外壁パネル１６、標準外壁パネル１７を固定している。
【００２６】
コーナー間柱１４は、柱１１に近接するコーナー間柱であり、概ねＬ字状の形鋼等のアングル材からなる。他の標準間柱１５（不図示）は角鋼管からなる。
【００２７】
コーナー外壁パネル１６は、図２に示す如く、標準外壁パネル１７よりも幅狭の木片セメント板等からなる面材１６Ａの裏面に金属フレーム１６Ｂを設けたものであり、金属フレーム１６Ｂの一端を該外壁パネル１６の一側縁より側方に延出させた延出部１６Ｃとし、金属フレーム１６Ｂの他端を該外壁パネル１６の他側縁より面材１６Ａの裏面に直交する前方に延出させた延出部１６Ｄとしている。標準外壁パネル１７は木片セメント板等からなる面材１７Ａの裏面の側縁部に角筒状の金属フレーム１７Ｂを設けたものである。
【００２８】
建物ユニット１０は、間柱１４に荷重が加わっても間柱１４をねじれ変形させず、間柱１４の外壁取付面の面精度を安定化し、ひいてはコーナー外壁パネル１６、標準外壁パネル１７の変形を防止するため、間柱１４の長手方向において少なくとも上下両端寄りを含む複数位置に以下の固定金具２０が取付けられる。
【００２９】
固定金具２０は、図１、図４に示す如く、概ねＬ字状の形鋼等のアングル材からなる。固定金具２０は、Ｌ字の一片を間柱１４の内側面（建物ユニット１０の内部に臨む面）に溶接される溶接片２１とされ、Ｌ字の他片を柱１１の内側面（建物ユニット１０の内部に臨む面）にドリルビス等の取付具２３により取付けられる取付片２２とされる。固定金具２０の取付片２２は取付具２３のための下孔２４Ａが設けられ、柱１１の内側面には下孔２４Ａに対応する下孔２４Ｂが設けられる。尚、間柱１４における固定金具２０の上記下孔２４Ａに相対する位置には、取付具２３を取付ける工具のためのドライバー用孔１４Ｂが設けられている。
【００３０】
間柱１４及び固定金具２０の溶接片２１は、両者が溶接された状態で、間柱１４及び固定金具２０の溶接片２１に標準外壁パネル１７の金属フレーム１７Ｂを取付けるデイジーリベット２７のためのリベット固定用下孔２５と、間柱１４及び固定金具２０の溶接片２１にコーナー外壁パネル１６の金属フレーム１６Ｂの延出部１６Ｃを取付けるポップリベット２８のためのリベット固定用下孔２６を備える。
【００３１】
固定金具２０を用いた間柱１４の固定手順は以下の通りである。
(1)柱１１に近接する位置で、間柱１４がその上下端部を建物ユニット１０の上梁１２と下梁１３のそれぞれに仮取付けされる。図４は、間柱１４の下端に設けた下取付片１４Ａが下梁１３のジョイントピース１３Ａにボルト止めされる状態を示している（ボルトは図示省略）。同様に、間柱１４の上端に設けた上取付片が上梁１２のジョイントピース１２Ａにボルト止めされる。
【００３２】
(2)間柱１４の長手方向の複数位置に溶接されている各固定金具２０の取付片２２を柱１１の内側面（建物ユニット１０の内部に臨む面）に押し付けて添設する。
【００３３】
間柱１４を柱１１、上梁１２及び下梁１３に対する正しい取付位置に位置決めした状態で、間柱１４の上下の取付片１４Ａを上梁１２、下梁１３のジョイントピース１２Ａ、１３Ａにボルト止めして本固定し、同時に図２に示す如く、固定金具２０の取付片２２の下孔２４Ａに刺通される取付具２３を柱１１の下孔２４Ｂに締結する。
【００３４】
(3)標準外壁パネル１７を柱１１の側傍の間柱１４、１５の外側面（建物ユニット１０の外部に臨む面）まわりに持ち込み、標準外壁パネル１７の金属フレーム１７Ｂを間柱１４、１５の外側面に添設する。このとき、間柱１４、１５の外側面の全面に防水シート１８が貼着される。
【００３５】
標準外壁パネル１７を間柱１４、１５に対して正しく位置決めし、図３に示す如く、間柱１４及び固定金具２０の溶接片２１に設けてあるリベット固定用下孔２５に溶接片２１の内側面（建物ユニット１０の内部に臨む面）から刺通されるデイジーリベット２７により、それらの間柱１４、溶接片２１に対し標準外壁パネル１７の金属フレーム１７Ｂをリベットする。標準外壁パネル１７の他の金属フレーム１７Ｂも他の間柱１５にリベット止めされる。
【００３６】
(4)コーナー外壁パネル１６を柱１１の外側面（建物ユニット１０の外部に臨む面）まわりに持ち込み、コーナー外壁パネル１６の金属フレーム１６Ｂを柱１１の外側面に添設し、金属フレーム１６Ｂの一端の延出部１６Ｃを間柱１４の外側面（建物ユニット１０の外部に臨む面）に添設するとともに、金属フレーム１６Ｂの他端の延出部１６Ｄを柱１１の固定金具２０が取付けられている面に対する反対面に添設する。このとき、柱１１の外側面の全面には防水シート１９が貼着され、間柱１４の外側面には上述(3)の防水シート１８が貼着されている。
【００３７】
コーナー外壁パネル１６を柱１１と間柱１４に対して正しく位置決めし、図３に示す如く、間柱１４及び固定金具２０の溶接片２１に設けてあるリベット固定用下孔２６に溶接片２１の内側面から刺通されるポップリベット２８により、それらの間柱１４、溶接片２１に対しコーナー外壁パネル１６の金属フレーム１６Ｂの延出部１６Ｃをリベット止めする。また、コーナー外壁パネル１６の金属フレーム１６Ｂの延出部１６Ｄを、柱１１の固定金具２０が取付けられている面に対する反対面にタッピングねじ２９で固定する。
【００３８】
(5)コーナー外壁パネル１６と標準外壁パネル１７の目地にシール部材３０を装填する。
【００３９】
本参考例によれば以下の作用効果を奏する。
(a)間柱１４に固定金具２０が溶接され、この固定金具２０が取付具２３により柱１１に取付けられる。
【００４０】
従って、間柱１４に溶接された固定金具２０を柱１１の側面に隙間なく、正しく位置決めして取付けできる。このため、柱１１に対して正しく位置決めされた固定金具２０により間柱１４を安定的に支持し、間柱１４に荷重が加わっても、間柱１４のねじれ変形を防止し、間柱１４の外壁取付面の面精度を安定化し、ひいては外壁パネル１６、１７の変形を防止できる。
【００４１】
(b)間柱１４に溶接された固定金具２０は、柱１１に取付具２３を用いて取付けられるものであるから、柱１１の上下端に接合される上梁１２と下梁１３の存在に関係なく、柱１１の上下端寄りに取付けできる。即ち、間柱１４が固定される固定金具２０を柱１１の上下端寄りに取付けでき、該固定金具２０を柱１１の中間部だけに取付けるものに比し、間柱１４に作用する荷重による該間柱１４のねじれ変形を十分に防止できる。
【００４２】
また、間柱１４に溶接される固定金具２０は、該固定金具２０の溶接片２１になる部分の平面と間柱の平面の平面同士を密着させて溶接でき、該固定金具２０の転びの懸念がなく、正確に溶接できる。
【００４３】
(c)前記固定金具２０をアングル材により簡易に構成できる。
【００４４】
(d)前記間柱１４がアングル材からなるとき、上述(a)〜(c)の固定金具２０によりアングル材からなる間柱１４のねじれ変形を確実に防止し、ひいては外壁パネル１６、１７の変形を防止できる。
【００４５】
(e)上述(a)〜(d)の固定金具２０を用いることにより、間柱１４に荷重が加わっても間柱１４をねじれ変形させず、間柱１４の外壁取付面の面精度を安定化し、ひいては外壁パネル１６、１７の変形を防止できる。
【００４６】
(f)上述(a)〜(e)の建物ユニット１０を用いて構築されてなるユニット建物において、間柱１４に荷重が加わっても間柱１４をねじれ変形させず、間柱１４の外壁取付面の面精度を安定化し、ひいては外壁パネル１６、１７の変形を防止できる。
【００４７】
図５は固定金具２０の取付片２２の外縁を直角に折曲げて引き寄せ片２２Ａとしたものである。固定金具２０の取付片２２を取付具２３により柱１１の内側面に取付けるために、取付片２２の下孔２４Ａが柱１１の下孔２４Ｂに合致する取付位置に位置決めするとき、Ｌ字プレート４１の一端を引き寄せ片２２Ａに係合させるとともに、引き寄せレバー４２の中間部をＬ字プレート４１の他端側に係合させる。そして、引き寄せレバー４２の先端部を柱１１のコーナー外壁パネル１６の金属フレーム１６Ｂが添設される面と反対面に衝合させた状態で、引き寄せレバー４２の基端操作部４２Ａに操作力を加えることにより、間柱１４及び固定金具２０を柱１１に対する上述の取付位置に位置決めできる。この位置決め状態で、固定金具２０の取付片２２の下孔２４Ａに刺通される取付具２３を柱１１の下孔２４Ｂに締結するものになる。
【００４８】
これによれば、建物ユニット１０の上梁１２と下梁１３に取付けられている間柱１４に溶接済の固定金具２０を、柱１１に対する取付位置に容易に位置付けできる。
【００４９】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００５０】
本発明は、柱と梁を接合して構成される建物ユニットの上下梁間に取付けられるとともに、外壁が固定される間柱の固定構造において、間柱に固定金具が溶接され、この固定金具が取付具により柱に取付けられる。これにより、間柱の固定構造において、間柱に荷重が加わっても間柱をねじれ変形させず、間柱の外壁取付面の面精度を安定化し、ひいては外壁の変形を防止することができる。
【符号の説明】
【００５１】
１０  建物ユニット
１１  柱
１３  下梁
１４  間柱
１６、１７  外壁パネル
２０  固定金具
２１  溶接片
２２  取付片
２２Ａ  引き寄せ片
２３  取付具
４１  Ｌ字プレート（引き寄せ工具）
４２  引き寄せレバー（引き寄せ工具）
【図１】
0005908689.tif 000002
【図２】
0005908689.tif 000003
【図３】
0005908689.tif 000004
【図４】
0005908689.tif 000005
【図５】
0005908689.tif 000006